(57)【要約】【課題】温度分布の均一化を図り、良好に素材の接着を行う。【解決手段】ワーク１０は、コンベアテーブル１２上において矢印Ｆ１０方向に搬送され、圧着ロール２０，２２，２４，２６，２８によって圧着され、電磁誘導加熱ヘッド３０，３２，３４，３６によって加熱される。その結果、ΔＨの期間では加熱が行われ、ΔＣの期間では温度の平坦化が行われ、加熱後の圧着ロール２２〜２８による圧着時に熱が拡散して、ワーク１０の金属シートＣの温度分布が均一化ないし平坦化される。これにより、金属シートＣのホットメルト接着剤が全体として溶融し、素材Ａ，Ｂが接着される。【選択図】図１
2012043552.tif 000002
【特許請求の範囲】
【請求項１】
電磁誘導加熱ヘッドによってワーク内の発熱体を発熱させることでワークを接着する電磁誘導加熱接着方法であって、電磁誘導による前記発熱体の加熱と、加熱された発熱体の熱の拡散を交互に行って、前記ワークの接着を行うことを特徴とする電磁誘導加熱接着方法。
【請求項２】
請求項１記載の電磁誘導加熱接着方法を行うための装置であって、
前記ワークを搬送する搬送手段，
該搬送手段によって搬送されるワークを圧着するための複数の圧着手段，
該圧着手段と交互に設けられており、圧着されたワークの発熱体に対して電磁波を照射するための複数の電磁誘導加熱ヘッド，
を備えたことを特徴とする電磁誘導加熱接着装置。
【請求項３】
請求項１記載の電磁誘導加熱接着方法を行うための装置であって、
前記ワークの発熱体に対して電磁波を照射するための少なくとも１つの電磁誘導加熱ヘッド，
前記ワークを搬送するとともに、搬送したワークを前記電磁誘導加熱ヘッドに圧着するための圧着手段，
をそれぞれ備えており、
前記電磁誘導加熱ヘッドに対する通電の断続、もしくは、前記圧着手段によるワークの圧着の解除の少なくとも一方を行って、加熱された発熱体の熱の拡散を行うことを特徴とする電磁誘導加熱接着装置。
【請求項４】
前記電磁誘導加熱ヘッドとワークとの間であって、前記発熱体の異常発熱部位に対応する位置に過熱防止手段を設けたことを特徴とする請求項２又は３記載の電磁誘導加熱接着装置。
【請求項５】
前記電磁誘導加熱ヘッドによる前記ワークへの電磁波の照射範囲を調整する調整手段を設けたことを特徴とする請求項２〜４のいずれか一項に記載の電磁誘導加熱接着装置。
【発明の詳細な説明】
【技術分野】
【０００１】
本発明は、電磁誘導加熱を利用して素材を接着する方法及びその装置に関し、具体的には異種素材の接着に好適な電磁誘導加熱接着方法及びその装置に関するものである。
【背景技術】
【０００２】
電磁誘導加熱（Induction Heating）を利用した素材（ないし材料），特に異種素材の接着に関する背景技術としては、下記特許文献に開示されているものがある。特許文献１は、電熱ヒーター式の暖房床に関するもので、床全体に平坦に配置された床下地材と、該床下地材の上部に所定の間隔をおいて配置された長尺シート状の電熱ヒーター材と、該電熱ヒーター材同士の間に配置され、ホットメルト接着剤が帯状の金属シートの両面に塗布されたメルト接着テープと、上記メルト接着テープと直交する方向に敷設される長尺板状の床仕上げ材とを有しており、電磁誘導加熱器を上記床仕上げ材の上部から操作し、上記メルト接着テープを加熱してホットメルト接着剤を溶融し、上記床仕上げ材を上記床下地材の上部に接着により敷設するようにしている。【０００３】
特許文献２は、自動車ボディ対する裏打ちシートの接着に関するもので、熱により少なくとも一部が溶融する粘着性シートを自動車ボディに当接させ、次に、前記当接させた部分に電磁誘導加熱の加熱部を当てて自動車ボディを発熱させ、更に、前記自動車ボディの発熱により前記粘着性シートの少なくとも一部を溶融させることによって、粘着性シートと自動車ボディとを接着している。
【先行技術文献】
【特許文献】
【０００４】
【特許文献１】特開2007-120780号公報
【特許文献２】特開2004-75860号公報
【発明の概要】
【発明が解決しようとする課題】
【０００５】
ところで、電磁誘導加熱で素材を加熱して接着する場合、素材間に、例えばホットメルト接着剤が塗布された発熱体である金属シート（金属板や金属フィルムも含む。）を挟み込むが、その端部（切除部位の周囲端なども含む。）では電磁界が集中し、温度が異常に上昇する。また、当該金属シートに皺や切り込みなどがあると、その部分に電磁界が集中し、発熱異常の原因となる。図６には、その様子が示されている。同図(A)は、接着する素材Ａ，Ｂに挟み込まれた金属シートＣに皺（傷や凹凸も含む。）Ｃ１０が生じている例で、例えば大面積の金属シートＣを用いる場合に生ずることがある。同図(B)は、金属シートＣに切り込みＣ１２が形成されている例で、例えばリチウムイオン電池のケースに金属シートを接着するような場合が該当する。【０００６】
同図(C)は金属シートＣＡ，ＣＢにオーバーラップ（重なり）Ｃ１４が生じている例で、小面積の金属シートＣを使用して大面積の素材Ａ，Ｂを接着するような場合に生ずる。同図(D)は、金属シートＣＡ，ＣＢに隙間Ｃ１６が生じている例である。次に、同図(E)は、部分的に金属シートＣが設けられている例で、例えば板材に金具を接着するような場合が該当する。次に、同図(F)は、複数の電磁ヘッドＤＡ，ＤＢで大面積の金属シートＣを加熱して素材Ａ，Ｂの接着を行う場合で、電磁ヘッドＤＡ，ＤＢの境界付近で加熱温度のばらつきが生ずる。【０００７】
本発明は、以上のような点に着目したもので、発熱体の温度分布の均一化を図り、良好に素材の接着を行うことができる電磁誘導加熱接着方法及びその装置を提供することを、その目的とする。
【課題を解決するための手段】
【０００８】
本発明の電磁誘導加熱接着方法は、電磁誘導加熱ヘッドによってワーク内の発熱体を発熱させることでワークを接着する電磁誘導加熱接着方法であって、電磁誘導による前記発熱体の加熱と、加熱された発熱体の熱の拡散を交互に行って、前記ワークの接着を行うことを特徴とする。【０００９】
本発明の電磁誘導加熱接着装置は、前記電磁誘導加熱接着方法を行うための装置であって、前記ワークを搬送する搬送手段，該搬送手段によって搬送されるワークを圧着するための複数の圧着手段，該圧着手段と交互に設けられており、圧着されたワークの発熱体に対して電磁波を照射するための複数の電磁誘導加熱ヘッド，を備えたことを特徴とする。【００１０】
他の発明の電磁誘導加熱接着装置は、前記電磁誘導加熱接着方法を行うための装置であって、前記ワークの発熱体に対して電磁波を照射するための少なくとも１つの電磁誘導加熱ヘッド，前記ワークを搬送するとともに、搬送したワークを前記電磁誘導加熱ヘッドに圧着するための圧着手段，をそれぞれ備えており、前記電磁誘導加熱ヘッドに対する通電の断続、もしくは、前記圧着手段によるワークの圧着の解除の少なくとも一方を行って、加熱された発熱体の熱の拡散を行うことを特徴とする。【００１１】
主要な形態の一つは、前記電磁誘導加熱ヘッドとワークとの間であって、前記発熱体の異常発熱部位に対応する位置に過熱防止手段を設けたことを特徴とする。他の形態の一つは、前記電磁誘導加熱ヘッドによる前記ワークへの電磁波の照射範囲を調整する調整手段を設けたことを特徴とする。本発明の前記及び他の目的，特徴，利点は、以下の詳細な説明及び添付図面から明瞭になろう。
【発明の効果】
【００１２】
本発明によれば、電磁誘導による発熱体の加熱と、加熱された発熱体の熱拡散とを繰り返し行うこととしたので、発熱体の温度分布の均一化を図ることができ、良好に素材を接着することができる。
【図面の簡単な説明】
【００１３】
【図１】実施例１の主要部を示す図である。
【図２】実施例２の基本的な構成を示す図である。
【図３】実施例２の主要工程の様子を示す図である。
【図４】実施例３の主要部を示す図である。
【図５】実施例４の主要部を示す図である。
【図６】発熱異常の原因を示す図である。
【発明を実施するための形態】
【００１４】
以下、本発明を実施するための形態を、実施例に基づいて詳細に説明する。
【実施例１】
【００１５】
最初に、図１を参照しながら、本発明の実施例１について説明する。本実施例は、連続式の電磁誘導加熱接着方法及び装置の例で、比較的大面積のものを接着する例である。図１(A)には、電磁誘導加熱接着装置の平面が示されており、その側面から見た様子が同図(B)に示されている。これらの図において、圧着の対象物であるワーク１０を搬送するコンベアテーブル１２上には、圧着ロール２０，２２，２４，２６，２８と、電磁誘導加熱ヘッド３０，３２，３４，３６とが、交互に配置されている。ワーク１０は、コンベアテーブル１２と、圧着ロール２０〜２８及び電磁誘導加熱ヘッド３０〜３６との間を、矢印Ｆ１０方向に搬送されるようになっている。【００１６】
以上のうち、ワーク１０は、図６に示したように、素材Ａ，Ｂに金属シートＣが挟み込まれた積層構造となっている。具体的には、耐熱シート，耐薬品シート，耐水シートなど、各種の積層シートが該当する。素材Ａ，Ｂは、異なる材料であることが多いが、同一の材料であることを妨げるものではない。金属シートＣとしては、メッシュシートなどでもよい。素材Ｂと金属シートＣとの間には、接着剤となる接着シートを積層してもよいし、ホットメルト接着剤を金属シートＣの表裏に塗布してもよい。素材Ａ，Ｂの材料によっては、それらの接着手段を必要としない場合もある。また、ニクロム線などが更に挟み込まれる場合もある。【００１７】
次に、コンベアテーブル１２には、搬送用のロール（図示せず）が多数形成されており、それらによって矢印Ｆ１０方向にワーク１０が搬送されるようになっている。圧着ロール２０〜２８は、前記ワーク１０の搬送方向に対応して矢印Ｆ２０方向に回転しており、これによってワーク１０の圧着が行われるようになっている。【００１８】
電磁誘導加熱ヘッド３０〜３６は、少なくとも誘導加熱コイルを備えており、必要に応じて電源も備えた構成としてよい。公知の各種のものが適用可能である。なお、電源を電磁誘導加熱ヘッド３０〜３６とは別に設ける場合でも、配線経路による損失を防ぐため、可能な限り近くに設置したほうがよい。次に、本実施例では、光センサなどによるワーク１０の検出装置（図示せず）が設けられており、ワーク１０を検出した場合に、電磁誘導加熱ヘッド３０〜３６のうちの該当するものが通電されるようになっている。【００１９】
なお、
ａ，電磁誘導加熱ヘッド３０〜３６の誘導加熱コイルと金属シートＣの距離，
ｂ，ワーク１０の移動速度，
ｃ，金属シートＣの材質・厚さ・熱伝導率，
ｄ，素材Ａ，Ｂや接着剤の溶融温度，
ｅ，素材Ａ，Ｂの温度（通常は室温），
ｆ，工場の室内気温，
ｇ，誘導加熱コイルに対する供給電流の周波数及び電力量，
が、金属シートＣの加熱温度に影響するので、所望の加熱温度となるように適宜調整する。【００２０】
次に、本実施例の動作を説明する。ワーク１０は、コンベアテーブル１２上において矢印Ｆ１０方向に搬送され、まず、圧着ロール２０によって圧着される。次に、ワーク１０が電磁誘導加熱ヘッド３０に送られると、電磁波が照射され、内部の金属シートＣに誘導電流が流れて発熱するようになる。その後、ワーク１０は、次の圧着ロール２２によって圧着される。そして、ワーク１０が次の電磁誘導加熱ヘッド３２に送られると、その内部の金属シートＣに誘導電流が流れ、再び発熱するようになる。以上の動作が繰り返し行われる。【００２１】
その結果、本実施例における金属シートＣの温度上昇は、図１(C)に示すようになり、電磁誘導加熱ヘッド３０〜３６によって断続的に加熱される。図示の例では、電磁誘導加熱ヘッド３０〜３６の加熱で、温度がそれぞれ約５０度上昇し、圧着ロール２２〜２８による圧着時に、温度がそれぞれ約２０度低下している。このとき、金属シートＣに図６に示したような皺Ｃ１０等があると、当該部位が他の部分よりも高温になる。しかし、本実施例では、圧着ロール２２〜２８による圧着時に熱が拡散し、金属シートＣの温度分布が均一化ないし平坦化されるようになる。すなわち、ΔＨの期間では金属シートＣの加熱が行われ、ΔＣの期間では温度の平坦化が行われる。これにより、金属シートＣは全体として温度が上昇し、接着シートもしくは接着剤が溶融して素材Ａ，Ｂが全体として接着される。【００２２】
以上のように、本実施例によれば、ワーク１０を移動しつつ、電磁誘導による金属シートＣの加熱と、加熱された金属シートＣの熱の拡散を交互に行うこととしたので、次のような効果がある。
ａ，大面積のワークであっても、発熱体の温度分布が均一化されるので、全体を良好に接合することができる。
ｂ，複数の電磁誘導加熱ヘッド３０〜３６を使用するので、ヘッド一つ当たりの容量を小さくすることができ、負担が少なくて済む。
ｃ，連続的に加熱接着を行うことができ、連続生産ラインに好適である。【００２３】
なお、前記説明では、コンベアテーブル１２の上側（ワーク１０の上側）に電磁誘導加熱ヘッド３０〜３６を設けたが、図１(D)に示すように、コンベアテーブル１２の下側（ワーク１０の下側）に電磁誘導加熱ヘッド３０〜３６を設けるようにしてもよい。また、図１(E)に示すように、上側に電磁誘導加熱ヘッド３０Ｕ〜３６Ｕを設け、下側に電磁誘導加熱ヘッド３０Ｄ〜３６Ｄを設けるようにしてもよい。
【実施例２】
【００２４】
次に、図２及び図３を参照しながら、本発明の実施例２について説明する。本実施例は、部品等の取り付けなどに好適な例である。図２は主要構成を示し、図３は主要な接着工程を示す。これらの図において、加熱圧着装置１００の上側では、電磁誘導加熱ヘッド１１０，１１２，１１４，１１６がヘッドホルダー１２０に固定されている。なお、本実施例では、後述するように４つの部品を樹脂ボードに取り付けるため、４つの電磁誘導加熱ヘッド１１０，１１２，１１４，１１６が用意されている。ヘッドホルダー１２０は、電磁誘導加熱ヘッド１１０，１１２，１１４，１１６の取り付け位置を規定するもので、ワーク毎に交換するようにしてもよい。電磁誘導加熱ヘッド１１０，１１２，１１４，１１６の近傍には、必要があれば、冷却用のファンを設ける。【００２５】
次に、加熱圧着装置１００の下側には、ベース１３０上にコンベアテーブル１３２が昇降可能及び移動可能に設けられている。このコンベアテーブル１３２上に、接着対象のワーク１４０を載せ、電磁誘導加熱ヘッド１１０，１１２，１１４，１１６によって電磁誘導加熱を行うことで、ワーク１４０の接着が行われるようになっている。加熱圧着装置１００のヘッドホルダー１２０の内部ないしその近傍には、電磁誘導加熱ヘッド１１０，１１２，１１４，１１６を駆動するための電源，スイッチ，表示装置（いずれも図示せず）が設けられており、ベース１３０内ないしその近傍には、コンベアテーブル１３２を駆動するためのモータなどの駆動源（図示せず）が設けられている。なお、電磁誘導加熱ヘッド１１０，１１２，１１４，１１６の大きさや出力は、接着対象の部品に応じて適宜設定する。【００２６】
図２(B)には、本実施例におけるワーク１４０の接着後の様子が示されており、樹脂ボード１４２に、部品１５０，１５２，１５４，１５６が接着されている。接着前は、図２(C)に示すように、部品１５０，１５２，１５４，１５６は、部品保持用治具１６０の該当する凹部１７０，１７２，１７４，１７６にそれぞれ装填されるようになっている。そして、その上に樹脂ボード１４２がセットされる。このとき、部品１５０，１５２，１５４，１５６と、樹脂ボード１４２との間に、ホットメルト接着剤が塗布された金属シート１８０，１８２，１８４，１８６がそれぞれ挿入される。【００２７】
次に、図３も参照しながら、本実施例の動作を説明する。上述したワーク１４０は、図３(A)に矢印Ｆ１００で示すようにコンベアテーブル１３２に載せられる。コンベアテーブル１３２によって、図３(B)に示すように、ワーク１４０は矢印Ｆ１０２方向に移動する。そして、図３(C)に示すように接着位置に達すると、コンベアテーブル１３２はワーク１４０を矢印Ｆ１０４方向に上昇させ、電磁誘導加熱ヘッド１１０，１１２，１１４，１１６に圧着する。【００２８】
そして、図３(D)に示すように、電磁誘導加熱ヘッド１１０，１１２，１１４，１１６の誘導加熱コイルに通電が行われ、電磁波が放射される。これにより、ワーク１４０内の金属シート１８０，１８２，１８４，１８６が発熱する。なお、加熱時間，電磁波出力，圧着圧力などは、ワーク１４０の素材等に応じて適宜設定する点は、前記実施例と同様である。【００２９】
ところで、本実施例では、前記加熱後、電磁誘導加熱ヘッド１１０，１１２，１１４，１１６への通電を停止するか、もしくは、図３(E)に矢印Ｆ１０８で示すようにコンベアテーブル１３２を下降させるといった方法により、ワーク１４０内の金属シート１８０，１８２，１８４，１８６における熱の拡散を行い、温度の均一化ないし平坦化を図るようにする。【００３０】
以上のような金属シート１８０，１８２，１８４，１８６の加熱と熱の拡散を、必要に応じて複数回繰り返し行うことで、金属シート１８０，１８２，１８４，１８６の温度分布が均一化されるようになり、良好に樹脂ボード１４２に部品１０５，１５２，１５４，１５６を接着することができる。その後、図３(E)に矢印Ｆ１１０で示すように、コンベアテーブル１３２を移動し、図３(F)に矢印Ｆ１１２で示すようにワーク１４０を取り出すと、樹脂ボード１４２の所定位置に部品１５０，１５２，１５４，１５６が接着されたものが得られる。
【実施例３】
【００３１】
次に、図４を参照しながら、実施例３について説明する。上述したように、金属シートＣの端部では電磁界が集中し、異常な温度上昇が生ずる。具体的には、図４(A)に示すように、矢印Ｆ１０方向に搬送されるワーク１０における金属シートＣの側端部ＣＥや前端部ＣＦで発熱異常が生ずる。そこで本実施例では、まず、図４(B)に示すように、電磁誘導加熱ヘッド３０〜３６とワーク１０との間であって、前記金属シートＣの端部ＣＥ上に、過熱防止板５０を設けている。これにより、電磁界の一部が過熱防止板５０に吸収され、金属シートＣの端部における異常加熱が低減されるようになる。なお、過熱防止板５０は、異常発熱が生ずる部位に、必要に応じて適宜位置に設けてよい。例えば、図６(C)や(D)の場合には、オーバーラップＣ１４や隙間Ｃ１６の位置に対応して過熱防止板を設けるようにする。【００３２】
図４(C)に示す例は、電磁誘導加熱ヘッド３０〜３６の幅方向の全体にわたって過熱防止板５２を設けた例である。過熱防止板５２は、同図(D)に示すようにパンチングされた金属板など、電磁波を遮蔽できるものが使用される。このような過熱防止板５２を使用することで、電磁波が良好に分散されるようになり、ワーク１０の異常加熱が低減されるようになる。【００３３】
図４(E)，(F)は、ワーク１０の前端部ＣＦにおける発熱異常を低減する例である。本例によれば、図４(E)に示すように、電磁誘導加熱ヘッド３０とワーク１０との間に、過熱防止板７０が設けられる。ワーク１０の先端が電磁誘導加熱ヘッド３０の下を通過するときは、過熱防止板７０によって前端部ＣＦの過熱が防止される。その後、過熱防止板７０は、図４(F)に示すように、電磁誘導加熱ヘッド３０の直下から圧着ロール２０側に退避する。このようにすることで、ワーク１０の前端部ＣＦにおける異常加熱が低減されるようになる。電磁誘導加熱ヘッド３２〜３６についても同様である。
【実施例４】
【００３４】
次に、図５を参照しながら、実施例４について説明する。この例は、電磁誘導加熱ヘッド３０〜３６を、ワーク１０に対して上下方向及び前後方向（図の左右方向）に移動機構６０によって移動可能とした例である。移動機構６０によって電磁誘導加熱ヘッド３０〜３６を上下方向に移動すると、ワーク１０における電磁波の照射範囲が変化する。まず、電磁誘導加熱ヘッド３０〜３６を下降してワーク１０に近づけると、図５(B)に示すように電磁波の照射範囲はＷＨＡと狭くなり、逆に、電磁誘導加熱ヘッド３０〜３６を上昇してワーク１０から遠ざけると、図５(C)に示すように電磁波の照射範囲はＷＨＢと広くなる。このように、電磁誘導加熱ヘッド３０〜３６とワーク１０との間隔を調整することで、ワーク１０の加熱範囲や加熱温度を調整することができる。また、電磁誘導加熱ヘッド３０〜３６を前後方向に移動することで、電磁誘導加熱ヘッド３０〜３６の間隔やワーク１０に対する加熱部位を調整することができる。【００３５】
なお、本発明は、上述した実施例に限定されるものではなく、本発明の要旨を逸脱しない範囲内において種々変更を加えることができる。例えば、以下のものも含まれる。
(1)前記実施例では、積層シートや部品取付けの場合を例として説明したが、これらはいずれも一例であり、各種の素材の接合に適用してよい。異種素材の接合にも好適である。例えば、木、金属、ガラス、織物、樹脂、無機素材、窯業素材、紙等の接合にも適用できる。性質の異なる素材を接合してもよい。例えば、耐熱性、耐薬品性、耐水性、断熱性、保温性、伸縮性などの各種特性ある素材を接合してもよい。
(2)また、素材間に金属シートなどの発熱体を挟みこむ場合の他、リチウムイオン電池のケースのように、樹脂素材表面に金属シートを被覆するような場合にも適用可能である。リチウムイオン電池等では、ケースにミクロンオーダーの穴があいており、それを塞ぐためにアルミ箔で表面を被覆することが行われている。しかし、アルミ箔には、図６(B)に示すような切り込みＣ１２が形成されていることが多い。本発明を適用すれば、切り込みＣ１２の周辺でのアルミ箔の損傷が低減されるようになる。
(3)前記実施例は、いずれも複数の電磁誘導加熱ヘッドを使用しているが、ヘッドが一つの場合でも、断続的にコイルに通電する，ワークを接近させたり離したりすることで、加熱と熱拡散を繰り返すことができ、本発明を適用することができる。また、複数の電磁誘導加熱ヘッドを使用する場合でも、その個数は、必要に応じて増減してよい。【００３６】
(4)前記実施例では、圧着ロール２０〜２８によってワーク１０を圧着したが、圧着板を使用したり、キャタピラ状のベルトを使用するベルトプレスを使用するなど、公知の各種の方法で圧着を行ってよい。
(5)前記実施例では、電磁誘導加熱ヘッド３０〜３６によって約５０度の加熱を行い、圧着ロール２２〜２８による圧着時に温度が約２０度低下する場合を示したが、それらの値は一例であり、必要に応じて適宜設定してよい。また、電磁誘導加熱ヘッド３０〜３６の加熱による温度上昇は、必ずしも同一である必要はないが、最初は温度上昇の程度を小さく、後から大きくすると効果的である。
(6)前記実施例では、素材Ａ，Ｂと金属シートＣを積層した場合を示したが、更に素材や金属シートを積層してもよい。例えば、
ａ，圧着のみで接着する素材を積層する，
ｂ，素材Ｘ，Ｙ，Ｚの間に金属シートＰ，Ｑを積層する（Ｘ−Ｐ−Ｙ−Ｑ−Ｚの順に積層），
といった具合である。この場合に、ワークの上下に電磁誘導加熱ヘッドを配置し、上下から電磁誘導加熱を行うようにしてもよい。
(7)前記実施例を組み合わせてもよい。例えば、図５に示した電磁誘導加熱ヘッド３０〜３６の移動を、図２ないし３に示した実施例に適用するという具合である。
【産業上の利用可能性】
【００３７】
本発明によれば、電磁誘導による発熱体の加熱と、加熱された発熱体の熱の拡散を交互に行うこととしたので、発熱体の損傷を低減してワークの接着を行うことができ、例えば、大面積のワークを連続的に接着するような場合に好適である。
【符号の説明】
【００３８】
１０：ワーク
１２：コンベアテーブル
２０，２２，２４，２６，２８：圧着ロール
３０，３２，３４，３６，３０Ｄ，３２Ｄ，３４Ｄ，３６Ｄ，３０Ｕ，３２Ｕ，３４Ｕ，３６Ｕ：電磁誘導加熱ヘッド
５０，５２，７０：過熱防止板
６０：移動機構
１００：加熱圧着装置
１１０，１１２，１１４，１１６：電磁誘導加熱ヘッド
１２０：ヘッドホルダー
１３０：ベース
１３２：コンベアテーブル
１４０：ワーク
１４２：樹脂ボード
１５０，１５２，１５４，１５６：部品
１６０：部品保持用治具
１７０，１７２，１７４，１７６：凹部
１８０，１８２，１８４，１８６：金属シート
Ａ，Ｂ：素材
Ｃ，ＣＡ，ＣＢ：金属シート
ＣＥ：側端部
ＣＦ：前端部
Ｃ１０：皺
Ｃ１２：切り込み
Ｃ１４：オーバーラップ
Ｃ１６：隙間
ＤＡ，ＤＢ：電磁ヘッド
【図１】
2012043552.tif 000003
【図２】
2012043552.tif 000004
【図３】
2012043552.tif 000005
【図４】
2012043552.tif 000006
【図５】
2012043552.tif 000007
【図６】
2012043552.tif 000008
【国際調査報告】
2012043552.tif 000009
2012043552.tif 000010
2012043552.tif 000011
2012043552.tif 000012
2012043552.tif 000013
2012043552.tif 000014
2012043552.tif 000015
2012043552.tif 000016